(57)【要約】  スパイク現象が生じている磁性流体の隆起した部分を、視界を遮ることなく視認可能とすること。  磁性流体制御装置１は、磁石１２を有する架台１０と、架台１０に重ねて配置され、中空形状に形成され、内部に磁性流体２２１が封入された封入体２０と、を備え、封入体２０は、透明な素材で形成され、磁性流体２２１を挿入するための開口部２１１が形成された本体２１と、本体２１の開口部２１１を塞ぐ蓋体２３と、を有し、本体２１の開口部２１１が形成された部分を底面として、架台１０に重ねて配置され、本体１０は、底面が形成された方向と反対側の方向に向けて膨出するドーム形状に形成されている。
2019069990.tif 000002
【特許請求の範囲】
【請求項１】
磁石を有する架台と、
前記架台に接するように配置され、中空形状に形成され、内部に磁性流体が封入された封入体と、を備え、
前記封入体は、
透明な素材で形成され、前記磁性流体を挿入するための開口部が形成された本体と、
前記本体の開口部を塞ぐ蓋体と、を有し、
前記開口部は、前記本体の底面又は前記底面近傍の側面に形成され、
前記本体は、前記底面において前記架台と接し、前記底面が形成された方向と反対側の方向に向けて膨出するドーム形状に形成されている磁性流体制御装置。
【請求項２】
前記架台の前記磁石に対する前記封入体の位置を変えることで、前記封入体の内部に封入された前記磁性流体により形成される形状を変化させることが可能な請求項１に記載の磁性流体制御装置。
【請求項３】
前記架台は、前記磁石が内部に配置された架台本体を有し、
前記架台本体には、前記架台に前記封入体が配置された場合に、前記封入体と当接する当接面が複数形成されており、
複数の前記当接面は、前記磁石までの距離が互いに異なる請求項１に記載の磁性流体制御装置。
【請求項４】
前記封入体は、
前記底面に複数の情報が表示されており、
前記架台に対して移動可能であり、
前記複数の情報のうちのいずれかの情報と重なる位置に、前記磁石を配置した場合に、当該情報と重なる位置に前記磁性流体が配置される請求項１に記載の磁性流体制御装置。
【発明の詳細な説明】
【技術分野】
【０００１】
本発明は、磁性流体制御装置に関する。
【背景技術】
【０００２】
従来、磁性流体の界面現象として、スパイク現象が知られている。スパイク現象は、磁性流体が、磁石から発生した磁力線に沿って隆起し、隆起した磁性流体同士の反発と、表面張力と、が釣り合う位置まで変形し、最終的にはスパイク形状を形成して安定する現象である。【０００３】
このようなスパイク現象を視認する装置として、磁性流体を含む展示用磁性流体コンポジットと、上方に蓋が設けられ、内部に展示用磁性流体コンポジットが収容された容器と、磁場発生部材を備え、上記磁場発生部材が、上記容器に収容された上記展示用磁性流体コンポジットに磁力を及ぼす磁性流体コンポジット展示装置が提案されている（特許文献１）。
特許文献１の磁性流体コンポジット展示装置によれば、スパイク現象に起因する微妙な形状を視認できる。
【先行技術文献】
【特許文献】
【０００４】
【特許文献１】国際公開第２０１６／０２７５３号
【発明の概要】
【発明が解決しようとする課題】
【０００５】
しかしながら、特許文献１の磁性流体コンポジット展示装置は、上方に厚みがある蓋が設けられているために、この蓋が設けられている方向からはスパイク現象が生じている磁性流体の形状を視認することができない。【０００６】
本発明は、上記のような課題に鑑み、スパイク現象が生じている磁性流体の隆起した部分を、視界を遮ることなく視認可能とすることを目的とする。
【課題を解決するための手段】
【０００７】
（１）  磁石を有する架台と、
前記架台に接するように配置され、中空形状に形成され、内部に磁性流体が封入された封入体と、を備え、
前記封入体は、
透明な素材で形成され、前記磁性流体を挿入するための開口部が形成された本体と、
前記本体の開口部を塞ぐ蓋体と、を有し、
前記開口部は、前記本体の底面又は前記底面近傍の側面に形成され、
前記本体は、前記底面において前記架台と接し、前記底面が形成された方向と反対側の方向に向けて膨出するドーム形状に形成されている磁性流体制御装置。【０００８】
（１）の構成によれば、磁性流体制御装置は、架台と、封入体と、を備える。
架台は、磁石を有する。封入体は、架台に接するように配置され、中空形状に形成され、内部に磁性流体が封入され、本体と、蓋体と、を有する。本体は、透明な素材で形成され、磁性流体を挿入するための開口部が形成されている。蓋体は、本体の開口部を塞ぐ。
そして、開口部は、本体の底面又は底面近傍の側面に形成されている。
また、本体は、底面において架台と接し、底面が形成された方向と反対側の方向に向けて膨出するドーム形状に形成されている。【０００９】
これにより、本体の内部に磁性流体が挿入され、底面又は底面近傍の側面に形成された開口部が蓋体で塞がれた封入体を、この底面が接するように、磁石を有する架台に配置すると、本体の内部において磁性流体が、スパイク現象を生じる。このとき、磁性流体は、透明な素材で形成された封入体の内部において、底面から磁石の磁束線に沿って上方に隆起する。
したがって、スパイク現象が生じている磁性流体の隆起した部分を、視界を遮ることなく視認可能となる。【００１０】
すなわち、従来技術のように、ビンに入れられた磁性流体の場合は、フタが視線を遮蔽し、ビンを逆さまにした場合でも、ビンの形状による光学的歪みが中の磁性流体を見難くする角度が存在する。しかしながら、本願発明によれば、本体が透明なドーム形状なので、スパイク現象が生じている磁性流体のトゲの美しい形状を、どの方向からでも見ることができる。【００１１】
また、従来技術のように、ビンに入れられた磁性流体等の市販品は全て、小さな磁石を手で瓶に近づけて、磁性流体のトゲを出して遊ぶ装置になっている。この装置では、磁性流体のトゲが大きく広がった形を保持するには、トゲが広がった位置で磁石を保持することが必要なため、磁石を持った手を動かさないようにしなければならず、長時間鑑賞することが難しく、磁石を動かして綺麗なトゲの花が出る位置を探索する必要がある。本願発明によれば、美しく花のように広がる磁性流体のトゲの形を確実に作って保持できるよう、あらかじめ、架台内部で磁性流体と透明液体の量と、磁石から透明容器内の磁性流体までの距離を、組み込む磁石と磁性流体の特性に合わせて調整し、磁性流体の形を、花が大きく開いたような形に確実に作ることが可能になる。【００１２】
（２）  前記架台の前記磁石に対する前記封入体の位置を変えることで、前記封入体の内部に封入された前記磁性流体により形成される形状を変化させることが可能な（１）に記載の磁性流体制御装置。【００１３】
これにより、架台の磁石に対する封入体の位置を変え、磁石と磁性流体との距離を変えることで、磁性流体により形成されるスパイク形状を変化させることが可能となる。【００１４】
（３）  前記架台は、前記磁石が内部に配置された架台本体を有し、
前記架台本体には、前記架台に前記封入体が配置された場合に、前記封入体と当接可能な当接面が複数形成されており、
複数の前記当接面は、前記磁石までの距離が異なる（１）に記載の磁性流体制御装置。【００１５】
これにより、架台本体の、ある当接面に当接するように封入体を配置した場合と、他の当接面に当接するように封入体を配置した場合と、で磁性流体に影響する磁力が異なるので、それぞれの場合で、異なる形状を持った、磁性流体のスパイク形状を視認することができる。【００１６】
（４）  前記封入体は、
前記底面に複数の情報が表示されており、
前記架台に対して移動可能であり、
前記複数の情報のうちのいずれかの情報と重なる位置に、前記磁石を配置した場合に、当該情報と重なる位置に前記磁性流体が配置される（１）に記載の磁性流体制御装置。【００１７】
これにより、封入体の底面に表示された情報のいずれかと重なる位置に磁性流体が配置された状態から、封入体を架台に対して移動させることで、磁性流体を他の情報と重なる位置に移動させることができる。よって、例えば、ある情報が視認できず、他の情報が視認できる状態から、ある情報が視認でき、他の情報が視認できない状態とすることが可能となる。
【発明の効果】
【００１８】
本発明によれば、スパイク現象が生じている磁性流体の隆起した部分を、視界を遮ることなく視認可能となる。
【図面の簡単な説明】
【００１９】
【図１】本発明の第１実施形態に係る磁性流体制御装置１の構成を説明する図である。
【図２】本発明の第１実施形態に係る架台１０の断面図である。
【図３】本発明の第１実施形態に係る封入体２０の断面図である。
【図４】本発明の第１実施形態及び変形例に係る封入体２０の開口部２１１周辺の拡大断面図である。図４（ａ）は本発明の第１実施形態に係る封入体２０の開口部２１１周辺の拡大断面図であり、図４（ｂ）は本発明の変形例１に係る封入体２０の開口部２１１周辺の拡大断面図であり、図４（ｃ）は本発明の変形例２に係る封入体２０の開口部２１１周辺の拡大断面図である。図４（ｄ）は本発明の変形例３に係る封入体２０の開口部２１１周辺の拡大断面図である。
【図５】図１に示す例より、架台１０の内部に配置された磁石１２の磁極から、封入体２０との当接面までの距離が大きい場合の磁性流体制御装置１の写真である。
【図６】図１に示す磁性流体制御装置１を上方から撮像した写真である。
【図７】実験例の結果を示す表である。図７（ａ）は、大きさの異なる磁石を封入体２０に密接させた場合における、磁極面の中心の磁力（ｋＧ）、磁性流体２２１の中央のトゲ形状の数、周囲のトゲ形状の数及び中央のトゲ形状の高さを計測した結果を示している。図７（ｂ）は、同一のネオジム磁石（直径１０ｍｍ、高さ１６ｍｍ、中央磁場４．３ｋＧ）で封入体２０からの距離（ＧＡＰ）を大きくしていった場合における、磁性流体２２１の中央のトゲ形状の数、周囲のトゲ形状の数を計測した結果を示している。図７（ｃ）は、同一のネオジム磁石（直径１０ｍｍ、高さ１０．８ｍｍ、中央磁場４．４ｋＧ）で封入体２０からの距離（ＧＡＰ）を大きくしていった場合における、磁性流体２２１の中央のトゲ形状の数、周囲のトゲ形状の数を計測した結果を示している。図７（ｄ）は、磁石の直径が同じ（１０ｍｍ）で、高さ１．８ｍｍのネオジム磁石を積み上げて高さを変えた場合における、磁極面の中心の磁力（ｋＧ）、磁性流体２２１の中央のトゲ形状の数、周囲のトゲ形状の数及び中央のトゲ形状の高さを計測した結果を示している。
【図８】本実験例の結果の一部を模式的に示す図である。図８（ａ）は、直径が１０ｍｍで、高さ１４．４ｍｍの磁石を封入体２０に当接させた場合の磁性流体２２１のトゲ形状の態様を模式的に示す図である。図８（ｂ）は、直径が１０ｍｍで、高さ３．６ｍｍの磁石を封入体２０に当接させた場合の磁性流体２２１のトゲ形状の態様を模式的に示す図である。
【図９】本発明の第２実施形態に係る磁性流体制御装置１Ａの構成を説明する図である。図９（ａ）は磁性流体制御装置１Ａの第１態様を示す図であり、図９（ｂ）は磁性流体制御装置１Ａの第２態様を示す図である。
【図１０】図９に示す磁性流体制御装置１Ａの断面図である。図１０（ａ）は図９に示すＡＡ’断面図であり、図１０（ｂ）は図９に示すＢＢ’断面図である。
【発明を実施するための形態】
【００２０】
以下、添付図面を参照して、本発明を実施するための形態（以下、実施形態）について詳細に説明する。なお、実施形態の説明において、同一の構成には同一の符号を付し、その説明を省略又は簡略化する。
【００２１】
［第１実施形態］
図１は、本発明の第１実施形態に係る磁性流体制御装置１の構成を説明する図である。図１は、磁性流体制御装置１の写真である。
磁性流体制御装置１は、磁石を有する架台１０と、架台１０の上に配置される封入体２０と、を備える。磁性流体制御装置１は、架台１０の磁石により、スパイク現象を生じた、封入体２０の内部に封入された磁性流体２２１により形成される形状を視認可能とする装置である。磁性流体制御装置１は、例えば、展示台等に置かれた架台１０に封入体２０を配置することで、封入体２０の内部に封入された磁性流体２２１により形成されるスパイク形状が一定の状態で維持され、磁性流体のスパイク現象を鑑賞することが可能となる。
【００２２】
図２は、本発明の第１実施形態に係る架台１０の断面図である。
架台１０は、架台本体１１と、架台本体１１の内部に配置された磁石１２と、を有する。
架台本体１１は、架台の外形を形成し、例えば、木製や樹脂製であり、内部に形成されている空間に磁石１２が配置されている。また、架台本体１１には、架台１０に封入体２０が配置された場合に、封入体２０と当接する当接面１１１が複数形成されている。例えば、図２に示す例では、架台本体１１は、全体的には外表面が略球形状に形成され、外表面の一部が比較的平らな当接面１１１を形成している。
【００２３】
図２に示す例では、２つの当接面１１１ａ及び１１１ｂは、磁石１２の磁極１２１を挟んで、互いに対向する位置に配置されている。２つの当接面１１１ａ及び１１１ｂは、磁石１２の磁極１２１までの距離Ｌ１及びＬ２が互いに異なる。これにより、磁石１２により発生した磁力は、当接面１１１ａと当接面１１１ｂとで異なる。図２に示す例では、距離Ｌ１は、距離Ｌ２より小さい。このため、磁力は、当接面１１１ａの方が、当接面１１１ｂより大きくなる。
【００２４】
このような当接面１１１における磁力の強さ及び向きの違いは、配置された封入体２０の内部における磁性流体のスパイク現象により形成された形状の違いとなる。
図５は、図１に示す例より、架台１０の内部に配置された磁石１２の磁極から、封入体２０との当接面までの距離が大きい場合の磁性流体制御装置１の写真である。
図１及び図５に示すように、磁性流体制御装置１における磁性流体は、スパイク現象により、架台１０と封入体２０と当接する部分から離れる方向に隆起するトゲ形状が、複数形成されている。図１に示す例と図５に示す例とを比べると、図５に示す例では、図１に示す例より、磁極から、封入体２０との当接面までの距離が大きい（当接面での磁力が小さい）場合であり、トゲ形状の数が減り、トゲ形状の高さが小さくなり、トゲ形状の基端の幅が大きくなっていることが確認できる。
【００２５】
このように、架台１０内に設置した磁石１２に対する封入体２０の位置を変えることで、封入体２０の内部に封入された磁性流体２２１により形成される形状を変化させることができる。具体的には、封入体２０内の磁性流体２２１にトゲ形状を出すだけの十分な強さの磁力を有する磁石１２と、封入体２０との位置関係を、磁石１２からの磁力線が、封入体２０の底面に対して略垂直方向に磁力線を発生させるように制御できる機構をもたせる。そして、その位置関係を連続的に変えることで、磁性流体２２１のトゲ形状の開く角度とトゲ形状の数を変え、封入体２０内にあたかも、磁性流体２２１の花が開いていくように見せることができる。
【００２６】
図１に示すように、架台１０の外表面には、模様や文字等の図柄を付してもよい。このような図柄は、封入体２０を介して視ることで、封入体２０がレンズとして機能することで、レンズ越しに視ている態様となり、興趣が向上する。
図６は、図１に示す磁性流体制御装置１を上方から撮像した写真である。
図６に示すように、磁性流体制御装置１を上方から視た場合、上方から視た磁性流体２２１のスパイク現象により形成された形状を視認できるとともに、封入体２０を介して視た架台１０の外表面に付された図柄を視ることができる。図６に示すように、このように視た図柄は、封入体２０のレンズ効果により、拡大して見える。
【００２７】
なお、第１実施形態では、架台１０は、その外形を略球形状に形成しているが、これに限らず、多角形形状、円柱形状、四角形形状等の任意の形状に形成することができる。また、架台１０の当接面１１１は、２つに限らず、１つでもよいし、３つ以上形成してもよい。また、架台１０の当接面１１１は、封入体２０を配置できれば、外表面の任意の位置に形成することができる。また、架台１０の当接面１１１は、２つ以上形成した場合、これらの磁石１２の磁極からの距離が互いに異なることが望ましいが、これに限らず、磁石１２の磁極からの距離が同じでもよい。
【００２８】
磁石１２は、永久磁石で構成しているが、これに限らず、磁力を制御可能な電磁石で構成してもよい。この場合、磁力を変化させる制御を行うことで、架台１０の当接面に重ねて配置した封入体２０の磁性流体２２１のスパイク形状を連続的に変化させることが可能となる。これによって、磁性流体２２１のトゲ形状の開く角度とトゲ形状の数を変え、封入体２０内にあたかも、花が開いていくように見せることができる。
また、架台１０において、永久磁石を、ギア、モーター等の機械部品を組み込むことによって動かし、封入体２０から永久磁石の相対的な位置、角度を変えて、スパイク形状を連続的に変えていくことも可能である。
【００２９】
また、第１実施形態では、磁石１２は、複数の永久磁石を重ねることで、磁力を増大させているが、１つの永久磁石により所望の磁力が得られれば、１つの永久磁石のみで構成してもよい。また、磁石１２は、円柱形状で形成されているが、これに限らず、例えば、四角柱形状、ドーナツ形状、棒形状等の任意の形状とすることができる。
【００３０】
図３は、本発明の第１実施形態に係る封入体２０の断面図である。
封入体２０は、中空形状に形成され、内部に磁性流体２２１が封入されている。封入体２０は、透明な素材が中空形状に形成され、磁性流体２２１を挿入するための開口部２１１が形成された本体２１と、本体２１の内部に封入された複合体２２と、開口部２１１を塞ぐ蓋体２３と、蓋体２３を覆うシール部材２４と、を備える。
【００３１】
本体２１は、例えば、ガラスや樹脂等の透明な素材で形成されている。封入体２０は、開口部２１１が形成された部分を底面として、架台１０（図１参照）の当接面に重ねて配置される。本体２１は、底面が形成された方向と反対側の方向に向けて膨出するドーム形状に形成されている。例えば、図３に示す例では、本体２１は、外形が略球形状に形成されている。すなわち、底面が形成された方向と反対側の方向に加え、底面が形成された方向と直交する方向にも膨出する形状で形成されている。なお、本体２１は、略球形状に限らず、ドーム形状を有すれば、任意の形状とすることができる。
【００３２】
図４は、本発明の第１実施形態及び変形例に係る封入体２０の開口部２１１周辺の拡大断面図である。図４（ａ）は本発明の第１実施形態に係る封入体２０の開口部２１１周辺の拡大断面図であり、図４（ｂ）は本発明の変形例１に係る封入体２０の開口部２１１周辺の拡大断面図であり、図４（ｃ）は本発明の変形例２に係る封入体２０の開口部２１１周辺の拡大断面図である。図４（ｄ）は本発明の変形例３に係る封入体２０の開口部２１１周辺の拡大断面図である。
【００３３】
図４（ａ）に示すように、第１実施形態に係る封入体２０の開口部２１１は、中央部分に凹み部分が形成された蓋体２３により塞がれている。蓋体２３の凹み部分の周囲の部分は、開口部２１１を形成する側縁に係止されている。蓋体２３は、開口部２１１に装着された状態で、シリコン等の防水性を有する素材のシール部材２４により覆われている。
【００３４】
従来、ナノ粒子である磁性流体は、少しの隙間で漏れてしまうため、磁性流体を入れた容器の開口部を、下部に配置することを避けていたが、本実施形態によれば、化学的に安定なシリコン樹脂などのシール部材２４により、蓋体２３を覆うことで、磁性流体２２１が開口部２１１から漏れることを防ぐことが可能となる。
【００３５】
図４（ｂ）に示すように、変形例１に係る封入体２０の開口部２１１は、開口部２１１の外側の側縁が、開口部２１１に向かって、内側に向かって下り傾斜している。蓋体２３の凹み部分の周囲の部分は、開口部２１１を形成する下り傾斜した側縁に係止されている。
【００３６】
図４（ｃ）に示すように、変形例２に係る開口部２１１は、本体２１と同じ素材で同じ厚さで形成された蓋体２３ａにより塞がれている。蓋体２３ａの側縁と開口部２１１の側縁とは、例えば、紫外線硬化接着材であるシール部材２４ａにより接着されている。
【００３７】
なお、開口部２１１については、蓋体２３を、例えば、ポリ栓、樹脂栓、ガラス栓又はゴム栓で構成し、その内側表面を撥水撥油コートし、磁性流体をはじく処理をしてもよい。また、蓋体２３の凹み部分に鉄などの磁性体を入れ、磁力を増強させることをしてもよい。さらに、蓋体２３の形を封入体２０内側に突き出す円錐形等の立体にし、その内側に鉄等の磁性体を入れてもよい。
【００３８】
図４（ｄ）に示すように、変形例３に係る開口部２１１は、シリコン製の蓋体２３のみにより塞がれている。このように、開口部２１１の内径が比較的小さい場合には、シール部材（例えば、シリコン素材）で開口部２１１を埋めるように塗る。シール部材が硬化することで、蓋体と同様に機能する。
【００３９】
図３に戻って、複合体２２は、磁性流体２２１と、水２２２と、を含む。
水２２２は、一般的な水であり、水道水や純水等でよい。
磁性流体２２１は、公知の油性磁性流体であり、Ｆｅフェライト（即ちマグネタイト）、Ｍｎフェライト、Ｃｏフェライト、Ｎｉフェライト、Ｚｎフェライト、Ｍｎ−Ｃｏフェライト、Ｍｏ−Ｎｉフェライト及びＭｏ−Ｚｎフェライト等のフェライト系の磁性粒子を、オレイン酸などの界面活性剤の存在下でケロシン等の油系分散媒に微分散したものである。
【００４０】
また、複合体２２には、さらに、公知の所定の色彩を有する難磁性遮光片を含めてもよい。難磁性遮光片は、親水性、油親和力、難磁性及び遮光性を有する薄い微小フィルム状のものである。このような難磁性遮光片を、複合体２２に含めることで、水２２２と磁性流体２２１との界面を難磁性遮光片で覆っているような状態とすることが可能となる。この場合、磁性流体２２１のフェライトに起因する黒色が、難磁性遮光片に覆われ、難磁性遮光片の色彩を視認可能となる。すなわち、黒色の磁性流体２２１が、あたかも着色されたように見せることが可能となる。
【００４１】
［実験例］
実験例では、第１実施形態における封入体２０（図３参照）に近接させる磁石の大きさや、磁石と封入体２０との距離を変え、磁性流体２２１（図３参照）が形成する形態の変化を観察した。実験例の封入体２０内の磁性流体２２１の量は約２ｍｌであり、磁性流体には（株）シグマハイケミカル製の（型番ＤＳ−６０）を使用した。図７は、実験例の結果を示す表である。
【００４２】
図７（ａ）は、大きさの異なる磁石を封入体２０に密接させた場合における、磁極面の中心の磁力（ｋＧ）、磁性流体２２１の中央のトゲ形状の数、周囲のトゲ形状の数及び中央のトゲ形状の高さを計測した結果を示している。
図７（ａ）に示す結果より、磁極面の中心の磁力が略同等の場合、磁石の直径が大きくなるほど、中央のトゲ形状の数、周囲のトゲ形状の数及び中央のトゲ形状の高さが大きくなることが確認できた。
【００４３】
図７（ｂ）は、同一のネオジム磁石（直径１０ｍｍ、高さ１６ｍｍ、中央磁場４．３ｋＧ）で封入体２０からの距離（ＧＡＰ）を大きくしていった場合における、磁性流体２２１の中央のトゲ形状の数、周囲のトゲ形状の数を計測した結果を示している。
図７（ｃ）は、同一のネオジム磁石（直径１０ｍｍ、高さ１０．８ｍｍ、中央磁場４．４ｋＧ）で封入体２０からの距離（ＧＡＰ）を大きくしていった場合における、磁性流体２２１の中央のトゲ形状の数、周囲のトゲ形状の数を計測した結果を示している。なお、実験例における「中央磁場」の値は、磁極面の中心の磁力である。
【００４４】
図７（ｂ）及び（ｃ）に示す結果より、封入体２０から磁石が離れるほど、磁性流体２２１の中央が凹み、トゲ形状の基端の幅が大きくなることが確認できた。また、磁石の高さが高いほど、磁性流体２２１の中央のトゲ形状の数、周囲のトゲ形状の数が大きくなることが確認できた。
【００４５】
図７（ｄ）は、直径が同じ（１０ｍｍ）で、高さ１．８ｍｍのネオジム磁石を積み上げて高さを変えた場合における、磁極面の中心の磁力（ｋＧ）、磁性流体２２１の中央のトゲ形状の数、周囲のトゲ形状の数及び中央のトゲ形状の高さを計測した結果を示している。
図７（ｄ）に示す結果より、磁石の積上個数（高さ）が、所定値未満までは、大きくなるほど、中央のトゲ形状の数、周囲のトゲ形状の数、中央のトゲ形状の高さが大きくなるが、所定値以上では、変化が無くなることが確認できた。また、周囲のトゲ形状の数と中央のトゲ形状の高さは、比較的低い所定値（本実験例では５個（９ｍｍ））以上で変化が無くなるが、中央のトゲ形状の数は、比較的高い所定値（本実験例では７個（１２．６ｍｍ））以上で変化が無くなることが確認できた。
【００４６】
図８は、本実験例の結果の一部を模式的に示す図である。図８（ａ）は、直径が１０ｍｍで、高さ１４．４ｍｍの磁石を封入体２０に当接させた場合の磁性流体２２１のトゲ形状の態様を模式的に示す図である。図８（ｂ）は、直径が１０ｍｍで、高さ３．６ｍｍの磁石を封入体２０に当接させた場合の磁性流体２２１のトゲ形状の態様を模式的に示す図である。
【００４７】
図８（ａ）に示す例では、図８（ｂ）に示す例に比べ、磁石の高さが高いので、磁力線（図８中点線）が、垂直方向に立ち上がる。この場合、中央部にもトゲ形状が上向きに出る。
一方、図８（ｂ）に示す例では、図８（ａ）に示す例に比べ、磁石の高さが低いので、磁力線（図８中点線）が、水平方向に広がる。この場合、中央部にトゲ形状が上向きに出ず、水平方向のみ、多数のトゲ形状が出る（例えば、後述の図９参照）。
【００４８】
［第２実施形態］
次に、第２実施形態について説明する。以下の説明では、第１実施形態と同様の構成には同様の符号を付し、その説明を省略又は簡略する。
図９は、本発明の第２実施形態に係る磁性流体制御装置１Ａの構成を説明する図である。図９（ａ）は磁性流体制御装置１Ａの第１態様を示す図であり、図９（ｂ）は磁性流体制御装置１Ａの第２態様を示す図である。
【００４９】
磁性流体制御装置１Ａは、架台１０Ａと、架台１０Ａの当接面に重ねて配置された封入体２０Ａと、を備える。図９は、磁性流体制御装置１Ａを、封入体２０Ａ側から、架台１０Ａの方向を視た図である。
封入体２０Ａは、底に複数の文字や図形等からなる情報（図９に示す例では、（ａ）に示す「在」等の表示、（ｂ）に示す「不在」等の表示）が表示されており、架台１０に対して移動可能である。
【００５０】
図１０は、図９に示す磁性流体制御装置１Ａの断面図である。図１０（ａ）は図９に示すＡＡ’断面図であり、図１０（ｂ）は図９に示すＢＢ’断面図である。
架台１０Ａは、架台本体１１Ａと、架台本体１１Ａの内部に配置された磁石１２と、を有する。
架台本体１１Ａは、例えば、木製や樹脂製であり、内部に形成されている空間に磁石１２が配置されている。架台本体１１Ａは、図１０（ｂ）に示すように、封入体２０Ａと摺接する少なくとも一部の側面に、封入体２０Ａの一部と係合する溝１１１Ａが形成されている。
【００５１】
封入体２０Ａは、封入体２０（図３参照）と同様に、磁性流体２２１が封入されており、本体２１Ａと、蓋体（図示無し）及びシール部材（図示無し）を備えるが、本体２１Ａの外形の形状が封入体２０と異なる。図９に示すように、本体２１Ａは、磁性流体制御装置１Ａを、封入体２０Ａ側から、架台１０Ａの方向を視たときの外形形状が略四角形形状に形成されている。また、本体２１Ａは、底面に複数の情報（図９に示す例では、（ａ）に示す「在」等の表示、（ｂ）に示す「不在」等の表示）が表示されている。また、図１０に示すように、本体２１Ａは、底面が形成された方向と反対側の方向に向けて膨出するドーム形状に形成されている。
【００５２】
さらに、図１０（ｂ）に示すように、本体２１Ａは、架台１０Ａ側に突出し、架台本体１１Ａの側面と摺接する突出部２１１Ａが形成されている。突出部２１１Ａには、架台本体１１Ａ側に突出し、架台本体１１Ａの溝１１１Ａと係合する突起２１２Ａが形成されている。
【００５３】
磁性流体制御装置１Ａは、架台１０Ａの溝１１１Ａと、封入体２０Ａの突起２１２Ａとが係合することで、架台１０Ａに対して、架台１０Ａに側面に沿って、封入体２０Ａをスライド移動させることができる。
【００５４】
このような構成によれば、磁性流体制御装置１Ａを情報表示装置として機能させることが可能となる。例えば、使用者は、架台１０Ａの磁石１２と重なる位置に、封入体２０Ａの一方の情報（例えば、「不在」等の表示）がくるように、封入体２０Ａを配置する。すると、封入体２０Ａ内の磁性流体２２１が一方の情報と重なる位置において、スパイク現象による形状となる。これにより、一方の情報が磁性流体２２１により視認できない状態となり、他方の情報（例えば、「在」等の表示）が視認可能となり、図９（ａ）に示す状態となる。
【００５５】
次に、使用者は、架台１０Ａに対して封入体２０Ａを移動して、架台１０Ａの磁石１２と重なる位置に、封入体２０Ａの他方の情報（例えば、「在」等の表示）がくるように、封入体２０Ａを配置する。すると、封入体２０Ａ内の磁性流体２２１が他方の情報と重なる位置において、スパイク現象による形状となる。これにより、他方の情報（例えば、「在」等の表示）が磁性流体２２１により視認できない状態となり、一方の情報（例えば、「不在」等の表示）が視認可能となり、図９（ｂ）に示す状態となる。
【００５６】
このような磁性流体制御装置１Ａは、磁性流体２２１を利用して、美観に優れた態様で、情報を選択的に表示することが可能となる。
【００５７】
なお、磁性流体制御装置１Ａは、架台１０Ａに対して、封入体２０Ａをスライド移動可能とする態様に限らず、複数の情報を選択的に表示できれば、例えば、回転移動等の任意の移動態様とすることができる。
【００５８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５９】
１,１Ａ  磁性流体制御装置
１０,１０Ａ  架台
１１,１１Ａ  架台本体
１２  磁石
２０,２０Ａ  封入体
２１,２１Ａ  本体
２２  複合体
２３  蓋体
２４  シール部材
１１１  当接面
１１１Ａ  溝
１１１ａ,１１１ｂ  当接面
１２１  磁極
２１１  開口部
２１１Ａ  突出部
２１２Ａ  突起
２２１  磁性流体
２２２  水
【図１】
2019069990.tif 000003
【図２】
2019069990.tif 000004
【図３】
2019069990.tif 000005
【図４】
2019069990.tif 000006
【図５】
2019069990.tif 000007
【図６】
2019069990.tif 000008
【図７】
2019069990.tif 000009
【図８】
2019069990.tif 000010
【図９】
2019069990.tif 000011
【図１０】
2019069990.tif 000012
【国際調査報告】
2019069990.tif 000013
2019069990.tif 000014
2019069990.tif 000015
2019069990.tif 000016